(57)【要約】      （修正有）【課題】車輪の取付け位置を簡単に調節でき、種々のサイズの車輪に対応出来るキャスターを提供する。【解決手段】キャスター１の車軸１１を支持するキャスターフォーク２の一対の支脚３，３の先端部に長孔形状の取付け孔４，４を一端が上位に他端が下位になるようにそれぞれ設けておき、該取付け孔４の長孔形状に対応する形状であり該取付け孔４に適嵌する嵌合部６と、該嵌合部６の長手方向一端部に設けられている、調整具５の軸受け孔８に該キャスター１の車輪１０の軸１１を支持せしめた構成であって、該調整具５を反転させて該軸受け孔８が上側に配置されているように設定して該取付け孔４、４に嵌着することによって車輪取付け位置を上下に調節可能としたキャスターの車輪取付け構造を提供する。【選択図】図７
2008081059.tif 000002
【特許請求の範囲】
【請求項１】
キャスターの車軸を支持するキャスターフォークの一対の支脚の先端部に長孔形状の取付け孔を一端が上位に他端が下位になるようにそれぞれ設けておき、
該取付け孔の長孔形状に対応する形状であり該取付け孔に適嵌する嵌合部と、該嵌合部の長手方向一端部に設けられている軸受け孔とからなる調整具を該キャスターフォークの一対の支脚の取付け孔にそれぞれ嵌着し、該調整具の軸受け孔に該キャスターの車輪の軸を支持せしめた構成であって、
該調整具を該軸受け孔が下側に配置されるように該キャスターフォークの一対の支脚の取付け孔にそれぞれ嵌着するか、
または反転させて該軸受け孔が上側に配置されるように該取付け孔に嵌着することによって該車輪の取付け位置を上下に調節可能としたことを特徴とするキャスターの車輪取付け構造。
【請求項２】
キャスターの車軸を支持するキャスターフォークの一対の支脚の先端部に長孔形状の取付け孔をそれぞれ設けておき、
該取付け孔の長孔形状に対応する形状であり該取付け孔に適嵌する嵌合部と、該嵌合部の長手方向に沿って設けられ径の異なる複数個の軸受け孔とからなる調整具を該キャスターフォークの一対の支脚の取付け孔にそれぞれ嵌着し、
該車輪のサイズに応じて該調製具の複数個の軸受け孔のうちの一個を選択し、該軸受け孔に該キャスターの車輪の軸を支持せしめたことを特徴とするキャスターの車輪取付け構造。
【請求項３】
該キャスターフォークの一対の支脚の先端部に設けられた長孔形状の取付け孔は一端が上位に他端が下位になるようにそれぞれ設定されており、該径の異なる軸受け孔は該嵌合部の長手方向両端部に設けられており、該車輪のサイズに応じて該調製具の一対の軸受け孔のうちの一個を選択し、
該調整具を該軸受け孔が下側に配置されるように該キャスターフォークの一対の支脚の取付け孔にそれぞれ嵌着するか、
または反転させて該軸受け孔が上側に配置されるように該取付け孔に嵌着した上で該軸受け孔に該キャスターの車輪の軸を支持せしめることによって該車輪の取付け位置を上下に調節可能とした請求項２に記載のキャスターの車輪取付け構造。
【請求項４】
該キャスターは車椅子のキャスターである請求項１〜請求項３のいづれか１項に記載のキャスターの車輪取付け構造。
【発明の詳細な説明】
【技術分野】
【０００１】
本発明は例えば車椅子に使用されるキャスターの車輪取付け構造に関するものである。
【背景技術】
【０００２】
車椅子の前部には車椅子の進行方向をスムーズに変えられるよう、左右一対のキャスターが取付けられている。
従来の、図８に示すようなキャスター２１のフォーク２２に車軸２４を介して車輪３０を支持せしめ、該フォーク２２をキャスター取付け枠２１Ａに左右回転自在に取付けた構成が開示されている。
【０００３】
【特許文献１】特開２００６−２１３２３１号公報
【特許文献２】特開２００５−２１９６９２号公報
【特許文献３】特開平６−１４３９０８号公報
【発明の開示】
【発明が解決しようとする課題】
【０００４】
上記従来の構成では例えば車椅子の高さを調節したり、車椅子のサイズが変わると、車椅子の高さやサイズに対応したキャスターを複数個準備しておいて、そのつどキャスターを取替える必要があった。
【課題を解決するための手段】
【０００５】
本発明は一つのキャスターで例えば車椅子の高さやサイズに対応することが出来るようにすることを目的とし、キャスター１の車軸を支持するキャスターフォーク２の一対の支脚３，３の先端部に長孔形状の取付け孔４，４を一端が上位に他端が下位になるようにそれぞれ設けておき、
該取付け孔４の長孔形状に対応する形状であり該取付け孔４に適嵌する嵌合部６と、該嵌合部６の長手方向一端部に設けられている軸受け孔８とからなる調整具５を該キャスターフォーク２の一対の支脚３，３の取付け孔４，４にそれぞれ嵌着し、該調整具５の軸受け孔８に該キャスター１の車輪１０の軸１１を支持せしめた構成であって、
該調整具５を該軸受け孔８が下側に配置されるように該キャスターフォーク２の一対の支脚３，３の取付け孔４にそれぞれ嵌着するか、
または反転させて該軸受け孔８が上側に配置されるように該取付け孔４に嵌着することによって該車輪１０の取付け位置を上下に調節可能としたキャスターの車輪取付け構造、
およびキャスター１の車軸を支持するキャスターフォークの２一対の支脚３，３の先端部に長孔形状の取付け孔４１，４１をそれぞれ設けておき、
該取付け孔４１の長孔形状に対応する形状であり該取付け孔４１に適嵌する嵌合部６１と、該嵌合部６１の長手方向に沿って設けられ径の異なる複数個の軸受け孔８１Ａ，８１Ｂとからなる調整具５１を該キャスターフォークの２一対の支脚３，３の取付け孔４１，４１にそれぞれ嵌着し、
該車輪１０のサイズに応じて該調整具５１の複数個の軸受け孔８１Ａ，８１Ｂのうちの一個を選択し、該軸受け孔８１Ａ，８１Ｂに該キャスター１の車輪１０の軸１１を支持せしめたキャスターの車輪取付け構造を骨子とするものである。
本発明のキャスターの車輪取付け構造は特に車椅子に有用である。
【発明の効果】
【０００６】
〔作用〕
（請求項１）
キャスターフォーク２の一対の支脚３，３の先端部に設けた長孔形状の取付け孔４，４に調整具５の嵌合部６をそれぞれ嵌着する。この状態で例えば該調整具５の軸受け孔８が下側に配置されている。そして該軸受け孔８にキャスター１の車輪１０の軸１１を支持せしめる。該調整具５を反転して該軸受け孔８が上側に配置されているように設定して該キャスターフォーク２の一対の支脚３，３の取付け孔４，４にそれぞれ嵌着し、該調整具５の該軸受け孔８にキャスター１の車輪１０の軸１１を支持せしめると、該車輪１０の取付け位置は前の位置よりもキャスターフォーク２に対して上方へ移動する。
【０００７】
（請求項２）
キャスターフォーク２の一対の支脚３，３の先端部に設けた長孔形状の取付け孔４，４に調整具５１の嵌合部６１をそれぞれ嵌着する。この状態で車輪１０のサイズに対応して該調整具５１の複数個の軸受け孔８１Ａ，８１Ｂのうちの一個を選んで該軸受け孔８１Ａまたは８１Ｂにキャスター１の車輪１０の軸１１を支持せしめる。
【０００８】
（請求項３）
キャスターフォーク２の一対の支脚３，３の先端部に設けた長孔形状の取付け孔４，４に調整具５２の嵌合部６２をそれぞれ嵌着する。この状態で例えば該調整具５２の車輪１０のサイズに対応して選ばれた一方の軸受け孔８２Ａまたは８２Ｂが下側に配置されている。そして該軸受け孔８２Ａまたは８２Ｂにキャスター１の車輪１０の軸１１を支持せしめる。該調整具５２を反転して該軸受け孔８２Ａまたは８２Ｂが上側に配置されているように設定して該キャスターフォーク２の支脚３，３の取付け孔４，４にそれぞれ嵌着し、該調整具５２の該軸受け孔８２Ａまたは８２Ｂにキャスター１の車輪１０の軸１１を支持せしめると、該車輪１０の取付け位置は前の位置よりもキャスターフォーク２に対して上方へ移動する。
【０００９】
〔効果〕
したがって本発明においては、一つのキャスター１で、調整具５、５２を反転させるだけの簡単な手段で、キャスターフォーク２に対する車輪１０の上下取付け位置を調整することが出来、あるいは該調整具５１，５２の複数個の軸受け孔８１Ａ、８１Ｂ、あるいは軸受け孔８２Ａ，８２Ｂを選択することによって種々のサイズの車輪１０を取付けることが出来る。  
【発明を実施するための最良の形態】
【００１０】
本発明の第１実施例（請求項１）を図１〜図４に示す。図において、キャスター１のフォーク２はキャスター取付け枠１Ａに図示しないベアリングによって左右に回動自在に取付けられている。
該キャスターフォーク２は左右一対の支脚３，３を有し、各支脚３，３の先端部には前端が低く後端が高く傾斜している長孔形状の取付け孔４，４がそれぞれ設けられている。
【００１１】
図２に示す５は車輪の上下位置を調整するための調整具（位置調整具５）であって、該位置調整具５は該キャスターフォーク２の支脚３，３の取付け孔４，４の長孔形状に対応する形状であって該取付け孔４に適嵌する嵌合部６と、該嵌合部６の外側周縁に配置されているフランジ部７と、該嵌合部６の長手方向一端部にはカラー９を付した軸受け孔８が設けられている。
【００１２】
上記キャスターフォーク２に車輪１０を取付けるには、該車輪１０の軸孔１１にベアリング１２を内挿し、その両端に袋ナット１３，１３を螺着して該ベアリング１２が該車輪１０の軸孔１１から抜け出さないようにする。
そして該位置調整具５を該キャスターフォーク２の支脚３，３の取付け孔４，４にそれぞれ嵌着しておくが、この際、図３イに示すように該位置調整具５の軸受け孔８が下側に配置されるようにするか、あるいは該位置調整具５を反転させて該支脚３，３の取付け孔４，４にそれぞれ嵌着し、図３ロに示すように該位置調整具５の軸受け孔８が上側に配置されるようにする。
そして上記のようにしてベアリング１２を装着した車輪１０を該フォーク２の支脚３，３間に挿入し、車軸となるボルト１４を一方の該位置調整具５の軸受け孔８、車輪１０のベアリング１２の軸孔１２Ａ、更に他方の該位置調整具５の軸受け孔８に挿通して袋ナット１５を該ボルト１４に螺着する。
【００１３】
このようにして該車輪１０は図４に示すようにキャスター１に取付けられるが、図３イに示すように該位置調整具５の軸受け孔８が下側に配置されている場合には、該車輪１０は該キャスター１において下部に位置し、したがって該キャスター１を車椅子に使用した場合には車椅子の高さが高くなるか、あるいは大きなサイズの車椅子に対応出来、図３ロに示すように該位置調整具５の軸受け孔８が上側に配置されている場合には、該車輪１０は該キャスター１において上部に位置し、したがって該キャスターを車椅子に使用した場合には車椅子の高さが低くなるか、あるいは小さいサイズの車椅子に対応出来る。
【００１４】
図５および図６には本発明の第２実施例（請求項２）が示される。本実施例では、キャスターフォーク２の一対の支脚３，３の先端部には横方向に長孔形状の取付け孔４１，４１が設けられ、該取付け孔４１，４１には車輪のサイズを調整する調整具５１（サイズ調整具５１）がそれぞれ嵌着されている。該サイズ調整具５１には該キャスターフォーク２の支脚３，３の取付け孔４１，４１の長孔形状に対応する形状であって該取付け孔４１に適嵌する嵌合部６１と、該嵌合部６１の外側周縁に配置されているフランジ部７１とからなり、長手方向に沿って２個の径の異なる軸受け孔８１Ａ，８１Ｂが設けられている。該軸受け孔８１Ａの径は該軸受け孔８１Ｂの径よりも大きく設定されており、該軸受け孔８１Ａ，８１Ｂにはそれぞれカラー９１Ａ，９１Ｂが付されている。
【００１５】
本実施例では大きなサイズの車輪１０Ａ（実線で示す）の場合には大きな径の軸受け孔８１Ａを選択し、小さなサイズの車輪１０Ｂ（点線で示す）の場合には小さな径の軸受け孔８１Ｂを選択して取付ける。なお本発明においてはサイズ調整具５１の軸受け孔は３個以上設けられてもよい。
【００１６】
図７、イ、ロには本発明の第３実施例（請求項３）が示される。本実施例では第１実施例の位置調整具５に代えて、両端部にカラー９２Ａ，９２Ｂを付した径の異なる軸受け孔８２Ａ，８２Ｂが設けられている調整具５２（位置サイズ調整具５２）が使用される。該位置サイズ調整具５２は第２実施例で使用されたサイズ調整具５１と同形状同構造に設定されても良く、図５に示すように嵌合部６２と、該嵌合部６２の外側周縁に配置されているフランジ部７２とからなる。そして大きなサイズの車輪１０Ａ（実線で示す）の場合には大きな径の軸受け孔８２Ａを選択して取付けるが、その場合図７イに示すように該位置サイズ調整具５２の大きな径の軸受け孔８２Ａが下側に配置されるようにするか、あるいは該位置サイズ調整具５２を反転させて該支脚３，３の取付け孔４，４にそれぞれ嵌着し、図７ロに示すように該軸受け孔８２Ａが上側に配置されるようにする。かくして図７イに示す車輪１０Ａ取付け状態では該車輪１０Ａは該キャスター１において下部に位置し、図７ロに示す車輪１０Ａ取付け状態では該車輪１０Ａは該キャスター１において上部に位置することになる。
【００１７】
小さいサイズの車輪１０Ｂ（点線で示す）を取付ける場合には小さな径の軸受け孔８２Ｂを選択して取付けるが、その場合には大きなサイズの車輪１０Ａを取付ける場合とは逆に、図７イに示す車輪１０Ｂ取付け状態では該車輪１０Ｂは該キャスター１において上部に位置し、図７ロに示す車輪１０Ｂ取付け状態では該車輪１０Ｂは該キャスター１において下部に位置することになる。
【産業上の利用可能性】
【００１８】
本発明はキャスターに取付ける車輪の上下位置を簡単に調節出来、また一個の調整具でサイズの異なる車輪に対応出来るので、例えば車椅子に利用すると車椅子の高さが簡単に調節出来、あるいは一種類のキャスターで種々のサイズの車椅子に適用出来るから、産業上利用可能である。
【図面の簡単な説明】
【００１９】
図１〜図４は本発明の第１実施例を説明する図である。
【図１】キャスター取付け構造の分解図
【図２】調整具の斜視図
【図３】イ  軸受け孔を下方に配置した車輪取付け状態のキャスターの側面図            ロ  軸受け孔を上方に配置した車輪取付け状態のキャスターの側面図
【図４】車輪を取り付けたキャスターの斜視図  図５および図６は本発明の第２実施例を説明する図である。
【図５】調整具の斜視図
【図６】車輪取付け状態のキャスター側面図  図７は本発明の第３実施例を説明する図である。
【図７】イ  大きな径の軸受け孔を下方に配置した車輪取付け状態のキャスターの側面図            ロ  小さな径の軸受け孔を下方に配置した車輪取付け状態のキャスターの側面図
【図８】従来例のキャスター側面図
【符号の説明】
【００２０】
１、２１    キャスター
５、５１，５２    調整具
８，８１Ａ，８１Ｂ，８２Ａ，８２Ｂ    軸受け孔
１０、３０    車輪
【図１】
2008081059.tif 000003
【図２】
2008081059.tif 000004
【図３】
2008081059.tif 000005
【図４】
2008081059.tif 000006
【図５】
2008081059.tif 000007
【図６】
2008081059.tif 000008
【図７】
2008081059.tif 000009
【図８】
2008081059.tif 000010